(57)【特許請求の範囲】
【請求項１】
互いに対向する縁から内側に向けての、ロープが挿入可能なスリットを複数個対応並設させた一対の櫛状部材と、
この一対の櫛状部材を、対応並設された前記スリットの重なり状態で連結可能な連結手段とを具備し、
前記一対の櫛状部材の内いずれか一方は、前記スリットの長さが配列方向に向けて順次短くなるように構成されたことを特徴とするエレベータのロープ掛け装置。
【請求項２】
前記連結手段は、前記一対の板部材が、ロープが巻き掛けられる綱車の外周面に対応するように綱車のブラケットに取り付けられることを特徴とする請求項１に記載のエレベータのロープ掛け装置。
【発明の詳細な説明】
【技術分野】
【０００１】
本発明は、ロープ式エレベータの据え付け作業に採用して好適なエレベータのロープ掛け装置に関する。
【背景技術】
【０００２】
ロープ式エレベータにおいて、駆動綱車やそらせ車等の綱車に巻き掛けられた主ロープは、一方にはエレベータのかごを、また他方にはつり合いおもりを吊り下げるように構成され、電動機による綱車の駆動により、かごは昇降路内を昇降移動する。
【０００３】
２：１ローピング方式のエレベータでは、主ロープは、両端部が機械室床のロープ止めに取り付け固定され、中間部において、かごプーリ、駆動綱車、つり合いおもり側のカウンタプーリに順次巻き掛けられて構成される。
【０００４】
エレベータの据え付け時、あるいは主ロープの交換時においては、たとえば最上乗場階に設置されロープを巻き込んだドラムからロープを引き出し、昇降路内に垂下させてのロープ掛け作業が行われる。
【０００５】
ロープ掛け作業において、駆動綱車に巻き掛けたロープを昇降路内へ垂下させるとき、ロープが過大な速度で垂下するのを防ぐために、綱車付近にロープブレーキが配置される。
【０００６】
ロープ式エレベータでのかごの吊り下げでは、通常、複数本のロープが使用されることが多い。その場合、ロープを巻き込んだドラムから引き出される一本のロープのロープ掛けを、複数回繰り返すことで、複数本のロープ掛けが行われる。
【発明の開示】
【発明が解決しようとする課題】
【０００７】
上記のように、従来のエレベータのロープ掛けでは、ドラムからロープを一本ずつ取り出して駆動綱車等への巻き掛け操作が行われた。
【０００８】
従って、複数本のロープを並列配置してかごを吊り下げるとき、ロープのドラムからの引き出し操作、及び駆動綱車等への巻き掛け操作を複数回繰り返すこと必要があり、それだけ新規据え付けやロープ交換作業に多くの時間を要したので改善が要望されていた。
【０００９】
そこで、本発明は、ドラムから複数本のロープを同時に引き出し、その引き出した複数本のロープ掛けを同時に行うのに好適なエレベータのロープ掛け装置を提供することを目的とする。
【課題を解決するための手段】
【００１１】
本発明のエレベータのロープ掛け装置は、互いに対向する縁から内側に向けての、ロープが挿入可能なスリットを複数個対応並設させた一対の櫛状部材と、この一対の櫛状部材を、対応並設された前記スリットの重なり状態で連結可能な連結手段とを具備し、前記一対の櫛状部材の内いずれか一方は、前記スリットの長さが配列方向に向けて順次短くなるように構成されたことを特徴とする。
【発明の効果】
【００１５】
本発明のエレベータのロープ掛け装置によれば、複数本のロープが一本ずつ係止可能な櫛状部材を有するので、作業員が複数本のロープを同時にロープ掛け作業を行うときに、複数本のロープを順序良く配列された状態で係止させておくことができる。従って、複数本のロープの絡み合いは防止され、ロープ掛け操作を効率良く実施できる。また、一対の櫛状部材の内いずれか一方は、前記スリットの長さが配列方向に向けて順次短くなるように構成したので、一対の櫛状部材を扇状に交差させ、その開き角度の調整により、１本ずつのスリット間へのロープの嵌め込み、あるいはスリット間からのロープの取り外し操作を要領良く行うことができる。
【００１６】
また、ガイドレールに取り付けられるロープ受け部材に、ロープ押さえ部材を介してロープを個別に係止できる。従って、作業員がガイドレールに設置されたロープヒッチに複数本のロープを連結するのに、一本ずつ順次必要に応じた取り外しによりロープ掛け作業を行うことができ、同様に作業の効率化を図ることができる。
【発明を実施するための最良の形態】
【００１７】
図１は、本発明によるエレベータのロープ掛け装置の第１の実施例を示した斜視図である。
【００１８】
図１は、ロープ掛け装置１が並列配列された複数本のロープ２を保持した状態を示したもので、２枚の板部材１１ａ，１１ｂが、複数本（この実施例では、７本）のロープ２の端部を間に挟んで固定されている。
【００１９】
すなわち、複数本のロープ２を挟んで重ね合わされた２枚の板部材１１ａ，１１ｂは、両端部におけるビス１２ａ，１２ｂの締め付けにより固定されるとともに、締め付け固定したビス１２ａ，１２ｂには、取っ手１３の両端部に形成されたリング１３ａが嵌め込まれて連結されている。
【００２０】
この実施例の取っ手１３は、やや剛性を有するロープで構成され、端部が並列配列された複数本のロープ２を固定した２枚の板部材１１ａ，１１ｂに接続されたので、図２に示したように、取っ手１３を先頭にした、綱車３，３への掛け回しにより、複数本のロープ２を綱車３，３に一度に巻き掛けできるので、作業員による巻き掛け作業は効率良く実施できる。
【００２１】
なお、図２に示したように、取っ手１３の引き回しにより、綱車３，３に複数本のロープ２を巻き掛けるとき、取っ手１３は、綱車３，３の回転軸を両端部で支持した取付具３ａ，３ａ間を通す必要があるので、取っ手１３の幅の長さｄは、取付具３ａ，３ａ間の間隔Ｄより短かいのが良い。
【００２２】
図３は、本発明によるエレベータのロープ掛け装置の第２の実施例を示した斜視図である。
【００２３】
図３に示したように、ロープ掛け装置１は、互いに対向する縁から内側に向けて、一本のロープ２が緩く嵌り込める幅広なスリット１４ａ，１４ａ，・・・が複数個（この実施例では１０本）並設された一対の櫛状部材１４１，１４２を有する。
【００２４】
この一対の櫛状部材１４１，１４２の左右両端部には、重ね合わせて連通する貫通孔１４ｂ，１４ｂが設けられ、それぞれ紐部材１５，１５が貫通して取り付けられている。
【００２５】
そこでこの一対の櫛状部材１４１，１４２は、各スリット１４ａ，１４ａ，・・・にそれぞれロープ２を遊挿させた状態で、左右両端部の紐部材１５，１５を緊張させたとき、一対の櫛状部材１４１，１４２は重なり合うとともに、各スリット１４ａ，１４ａ，・・・内のロープ２は、閉空間（スリット１４ａ）内を長手方向に移動できる。
【００２６】
なお、一対の櫛状部材１４１，１４２を両端部でつないだ紐部材１５，１５を、図５及び図６に示したように、綱車３，３の取付具３ａ，３ａに設けた取付穴３ａａ，３ａａを通してくくりつけ、櫛状部材１４１，１４２をロープ２が巻き掛けられる綱車３，３の外周面に対向配置させ、各ロープ２が綱車３，３の溝に沿った引き回しが行われるように構成して、巻き掛け作業の円滑化が図れる。
【００２７】
また、一対の櫛状部材の内、上方に位置して重なった櫛状部材１４２の各スリット１４ａは、その長さが配列方向に向けて直線状に順次短くなるように構成されている。
【００２８】
そこで、複数個のロープ２に対し、スリット１４ａ，１４ａ間への嵌め込み、あるいはスリット１４ａ，１４ａ間からの取り外し操作を、配置順序に沿って順次個別に行う必要があるが、上記のように、一方の各スリット１４ａ長さを配列方向に向けて順次短く形成したので、図４に示したように、一対の櫛状部材１４１，１４２を扇状に交差させ、その開き角度の調整により、１本ずつのスリット１４ａ，１４ａ間へのロープ２の嵌め込み、あるいはスリット１４ａ，１４ａ間からのロープ２の取り外し操作を要領良く行うことができる。
【００２９】
図７（ａ）及び（ｂ）は、本発明によるエレベータのロープ掛け装置の第３の実施例を示した斜視図である。
【００３０】
すなわち、ロープを内側に挿入できるように筒体を縦方向に縦断させて形成した縦断スリット１６ａを有する断面Ｃ状の内側の第１の筒状体１６１と、この第１の筒状体１６１よりは径大で、第１の筒状体１６１の縦断スリット１６ａとは位置が重なる同じく縦断スリット１６ａを形成した断面Ｃ状の第２の筒状体１６２とで構成されている。そして、第１及び第２の筒状体１６１，１６２は、互いに周回方向に回動可能であり、図７（ａ）に示したように、内側の第１の筒状体を矢印Ｒ方向に回動させたとき、図７（ｂ）に示したように、２つの縦断スリット１６ａ，１６ａが反対側に位置して、全体は閉じられた円管状となるので、内側の第１の筒状体１６１内に挿通されたロープ２は、外れることなく安定する。
【００３１】
また、第１の筒状体１６１には、第２の筒状体１６２の端部に当接する突起部１６ｂを設けたので、図７（ｂ）示した状態で、突起部１６ｂは下方位置において、第２の筒状体１６２の縁に当接する。
【００３２】
このように、図７（ａ）に示した状態で、ロープ２を、連通する縦断スリット１６ａ，１６ａを介して、第１の筒状体１６１内に挿入し、矢印Ｒ方向に回動させたとき、図７（ｂ）に示すように筒体の中をロープ２は貫通するが、もしも矢印Ｙ方向にロープ２が引っ張られたとしても、第１の筒状体１６１の突起部１６ｂの第２の筒状体１６２の端部への当接により、第１の筒状体１６１の第２の筒状体１６２からの抜け落ちは防止され安定する。
【００３３】
なお、第２の筒状体１６２には、図７（ａ）及び（ｂ）に示したように、係止ベルト１６ｃが巻回され、その係止ベルト１６ｃに設けた取り付け穴１６ｃａには、フック１６ｄが取り付けられている。
【００３４】
従って、図８に示したように、この第３の実施例のロープ掛け装置１はフック１６ｄを乗場三方枠４に掛けて吊り下げ使用し、ドラム５から引き出した複数本のロープ２を挿通させて引き出すことができる。
【００３５】
従って、エレベータのロープ掛けにおいて、引き出されたロープ２が乗場三方枠４に接触し、三方枠４が損傷するのを防止できる。
【００３６】
このように第３の実施例によれば、エレベータのロープ掛けに際して、引き出したロープ２の途中を容易に捕捉して、昇降路の構造体等に係止できるので、巻き掛け操作上しばしば必要なロープの引き回し中継具として好適である。
【００３７】
なお、この第３の実施例のエレベータのロープ掛け装置は、複数本のロープ２を同時に掛け通すように説明したが、たとえば１本のロープ２掛けに適用しても良い。
【００３８】
次ぎに、図９は本発明によるエレベータのロープ掛け装置の第４の実施例を示した分解斜視図で、図１０は図９の要部を反対側から見た一部拡大斜視図である。
【００３９】
すなわち、第４の実施例に係るエレベータのロープ掛け装置１は、図９及び図１０に示したように、間隔をなして並列配列された複数本のロープ２が当接可能に構成され、板状のロープ受け部材１７１と、このロープ受け部材１７１に着脱自在に取り付けられ、ロープ２を個別に押圧固定可能な複数個のロープ押さえ部材１７２，１７２，・・・とを備え、ロープ押さえ部材１７２，１７２，・・・はビス１７２ａ，１７２ａ，・・・により個別にロープ受け部材１６１に取り付け可能に構成されている。
【００４０】
板状のロープ受け部材１７１自体は、ボルト１７１ａ及びナット１７１ｂによりＬ字状のブラケット６１に取り付け固定され、ブラケット６１は図１１に示したように、さらに他のブラケット６２を介してガイドレール７に取り付け固定される。
【００４１】
このように、第３の実施例に係るロープ掛け装置１は、ガイドレール７に取り付けられるロープ受け部材１７１に、ロープ押さえ部材１７２，１７２，・・・を介してロープを個別に係止できるので、作業員がガイドレール７に設置されたロープヒッチ８に複数本のロープ２の端部を連結固定するのに、ロープ掛け装置１に係止させたロープ２を一本ずつ取り外して連結できるので、連結作業の効率化を図ることができる。
【００４２】
とりわけ、最近では、設置場所の省スペース化から、機械室レスのエレベータも多く採用されるようになり、そのため駆動電動機が昇降路内に設置され、それにともない駆動電動機はじめロープ２の端部の取り付けにガイドレール７を使用されることが多くなってきている。
【００４３】
従って、ロープ受け部材１７１とロープ押さえ部材１７２とで構成し、ロープ受け部材１７１をガイドレール７に取り付け固定して、係止した複数本のロープ２から１本ずつ適宜取り外して、ロープ掛けを可能としたこの第４の実施例のエレベータのロープ掛け装置は、ロープ式エレベータの据え付け工事やロープ交換工事等に採用して優れた効果を得ることができる。
【００４４】
以上説明のように、本発明のエレベータのロープ掛け装置によれば、作業員が実際に駆動綱車等へのロープ巻き掛けはもとより、昇降路内を上下に引き回してのロープ掛けを行うのに、複数本のロープの同時掛け回しが可能であり、作業員によるロープ掛け作業の効率化を実現できる。
【００４５】
また、櫛状部材１４１、１４２とでロープ掛け装置１を略構成しているが、２つの櫛状部材１４１、もしくは２つの櫛状部材１４２からロープ掛け装置１を構成することも可能である。
【図面の簡単な説明】
【００４６】
【図１】本発明によるエレベータのロープ掛け装置の第１の実施例を示した斜視図である。
【図２】図１に示した装置の適用例を示した斜視図である。
【図３】本発明によるエレベータのロープ掛け装置の第２の実施例を示した斜視図である。
【図４】図３に示した装置の動作説明図である。
【図５】図３に示した装置の適用例を示した斜視図である。
【図６】図３に示した装置の他の適用例を示した斜視図である。
【図７】本発明によるエレベータのロープ掛け装置の第３の実施例を示した斜視図である。
【図８】図７に示した装置の適用例を示した斜視図である。
【図９】本発明によるエレベータのロープ掛け装置の第４の実施例を示した分解斜視図である。
【図１０】図９に示した装置の一部拡大斜視図である。
【図１１】図１１（ａ）は、図９に示した装置の適用例を示した正面図、図１１（ｂ）は、その右側面図である。
【符号の説明】
【００４７】
１  ロープ掛け装置
１１ａ，１１ｂ  板部材
１３  取っ手
１４１，１４２  櫛状部材
１４ａ  スリット
１５  紐部材
１６１，１６２  筒状体
１６ａ  縦断スリット
１６ｂ  突起部
１６ｃ  係止ベルト
１７１  ロープ受け部材
１７２  ロープ押さえ部材１７２
２  ロープ
３  綱車
４  三方枠
５  ドラム
７  ガイドレール
【図１】
0004619031.tif 000002
【図２】
0004619031.tif 000003
【図３】
0004619031.tif 000004
【図４】
0004619031.tif 000005
【図５】
0004619031.tif 000006
【図６】
0004619031.tif 000007
【図７】
0004619031.tif 000008
【図８】
0004619031.tif 000009
【図９】
0004619031.tif 000010
【図１０】
0004619031.tif 000011
【図１１】
0004619031.tif 000012